(57)【要約】【課題】息継ぎ時間を挟んで息止め撮影を２回以上繰り返し行う際に、各回における臓器の位置変動にスライス位置を追従させる。【解決手段】呼吸を停止させた状態で横隔膜を含む撮像領域を持つＭＲ画像を撮像するナビゲータ用撮像ステップ（Ｋ１，Ｋ４）と、ナビゲータ画像を解析して横隔膜の位置を取得する横隔膜位置取得ステップ（Ｃ１，Ｃ３）と、呼吸を停止させた状態で所望のスライスのＭＲ画像を撮像するイメージング用撮像ステップ（Ｋ３，Ｋ６）と、呼吸を再開させる息継ぎステップとを、この順で２回以上繰り返す。１回目のスライスの位置を１回目の横隔膜の位置と２回目以後の横隔膜の位置の差だけ補正した位置を２回目以後のスライスの位置とする。【効果】各回における息止めタイミングのずれに起因する臓器の位置変動にスライス位置を追従させることが出来る。【選択図】図３
2007075387.tif 000002
【特許請求の範囲】
【請求項１】
呼吸を停止させた状態で横隔膜を含む撮像領域を持つＭＲ画像を撮像するナビゲータ用撮像ステップと、前記ナビゲータ画像を解析して横隔膜の位置を取得する横隔膜位置取得ステップと、呼吸を停止させた状態で所望のスライスのＭＲ画像を撮像するイメージング用撮像ステップと、呼吸を再開させる息継ぎステップとを、この順で２回以上繰り返すと共に、１回目のスライスの位置を１回目の横隔膜の位置と２回目以後の横隔膜の位置の差だけ補正した位置を２回目以後のスライスの位置とすることを特徴とする息止めＭＲ撮影方法。
【請求項２】
請求項１に記載の息止めＭＲ撮影方法において、前記ナビゲータ用撮像ステップの撮像領域が体軸方向に伸びるライン状であることを特徴とする息止めＭＲ撮影方法。
【請求項３】
請求項１または請求項２に記載の息止めＭＲ撮影方法において、前記イメージング用撮像ステップの前に、残留横磁化成分が縦磁化に戻るのを１秒間以上待つ回復待ちステップを設けることを特徴とする息止めＭＲ撮影方法。
【請求項４】
請求項１から請求項３のいずれかに記載の息止めＭＲ撮影方法において、前記イメージング用撮像ステップの前に、残留横磁化成分を強制的に縦磁化に戻すファースト・リカバリー・ステップを設けることを特徴とする息止めＭＲ撮影方法。
【請求項５】
請求項１から請求項４のいずれかに記載の息止めＭＲ撮影方法において、前記ナビゲータ用撮像ステップと前記イメージング用撮像ステップで、リバース・セントリック・ビュー・オーダリングとすることを特徴とする息止めＭＲ撮影方法。
【請求項６】
請求項１から請求項５のいずれかに記載の息止めＭＲ撮影方法において、前記イメージング用撮像ステップで、腹部の造影ＭＲアンギオグラフィー撮像を行うことを特徴とする息止めＭＲ撮影方法。
【請求項７】
請求項１から請求項５のいずれかに記載の息止めＭＲ撮影方法において、前記イメージング用撮像ステップで、肝臓の多相性撮像を行うことを特徴とする息止めＭＲ撮影方法。
【請求項８】
請求項１から請求項５のいずれかに記載の息止めＭＲ撮影方法において、１回目の前記イメージング用撮像ステップでボディコイルを用いた感度補正用撮像を行い、２回目以後の前記イメージング用撮像ステップでイメージング用撮像を行うことを特徴とする息止めＭＲ撮影方法。
【請求項９】
請求項１から請求項５のいずれかに記載の息止めＭＲ撮影方法において、１回目の前記イメージング用撮像ステップでレファレンス・イメージ用撮像を行い、２回目以後の前記イメージング用撮像ステップでパラレルイメージング用撮像を行うことを特徴とする息止めＭＲ撮影方法。
【請求項１０】
請求項１から請求項５のいずれかに記載の息止めＭＲ撮影方法において、前記イメージング用撮像ステップで、各回の撮像条件を変えたイメージ・フュージョン用撮像を行うことを特徴とする息止めＭＲ撮影方法。
【請求項１１】
請求項１から請求項５のいずれかに記載の息止めＭＲ撮影方法において、前記イメージング用撮像ステップで、拡散画像用撮像を行うことを特徴とする息止めＭＲ撮影方法。
【請求項１２】
呼吸を停止させた状態で横隔膜を含む撮像領域を持つＭＲ画像を撮像するナビゲータ用撮像手段と、前記ナビゲータ画像を解析して横隔膜の位置を取得する横隔膜位置取得手段と、呼吸を停止させた状態で所望のスライスのＭＲ画像を撮像するイメージング用撮像手段と、前記各手段を息継ぎ時間を挟んで２回以上繰り返し作動させる制御手段と、１回目のスライスの位置を１回目の横隔膜の位置と２回目以後の横隔膜の位置の差だけ補正した位置を２回目以後のスライスの位置とする補正手段とを具備したことを特徴とするＭＲＩ装置。
【請求項１３】
請求項１２に記載のＭＲＩ装置において、前記ナビゲータ用撮像ステップの撮像領域が体軸方向に伸びるライン状であることを特徴とするＭＲＩ装置。
【請求項１４】
請求項１２または請求項１３に記載のＭＲＩ装置において、前記イメージング用撮像手段を作動させる前に、残留横磁化成分が縦磁化に戻るのを１秒間以上待つ回復時間を置くことを特徴とするＭＲＩ装置。
【請求項１５】
請求項１２から請求項１４のいずれかに記載のＭＲＩ装置において、前記イメージング用撮像手段を作動させる前に、残留横磁化成分を強制的に縦磁化に戻すファースト・リカバリー手段を作動させることを特徴とするＭＲＩ装置。
【請求項１６】
請求項１２から請求項１５のいずれかに記載のＭＲＩ装置において、前記ナビゲータ用撮像ステップと前記イメージング用撮像ステップで、リバース・セントリック・ビュー・オーダリングとすることを特徴とするＭＲＩ装置。
【請求項１７】
請求項１２から請求項１６のいずれかに記載のＭＲＩ装置を用いて、腹部の造影ＭＲアンギオグラフィー撮像を行うことを特徴とする息止めＭＲ撮影方法。
【請求項１８】
請求項１２から請求項１６のいずれかに記載のＭＲＩ装置を用いて、肝臓の多相性撮像を行うことを特徴とする息止めＭＲ撮影方法。
【請求項１９】
請求項１２から請求項１６のいずれかに記載のＭＲＩ装置を用いて、１回目の前記イメージング用撮像ステップでボディコイルを用いた感度補正用撮像を行い、２回目以後の前記イメージング用撮像ステップでイメージング用撮像を行うことを特徴とする息止めＭＲ撮影方法。
【請求項２０】
請求項１２から請求項１６のいずれかに記載のＭＲＩ装置を用いて、１回目の前記イメージング用撮像ステップでレファレンスイメージ用撮像を行い、２回目以後の前記イメージング用撮像ステップでパラレルイメージング用撮像を行うことを特徴とする息止めＭＲ撮影方法。
【請求項２１】
請求項１２から請求項１６のいずれかに記載のＭＲＩ装置を用いて、各回の撮像条件を変えたイメージ・フュージョン用撮像を行うことを特徴とする息止めＭＲ撮影方法。
【請求項２２】
請求項１２から請求項１６のいずれかに記載のＭＲＩ装置を用いて、拡散画像用撮像を行うことを特徴とする息止めＭＲ撮影方法。
【請求項２３】
呼吸を停止させた状態で横隔膜を含む撮像領域を持つ断層像を撮像するナビゲータ用撮像ステップと、前記ナビゲータ画像を解析して横隔膜の位置を取得する横隔膜位置取得ステップと、呼吸を停止させた状態で所望のスライスの断層像を撮像するイメージング用撮像ステップと、呼吸を再開させる息継ぎステップとを、この順で２回以上繰り返すと共に、１回目のスライスの位置を１回目の横隔膜の位置と２回目以後の横隔膜の位置の差だけ補正した位置を２回目以後のスライスの位置とすることを特徴とする息止め断層像撮影方法。
【請求項２４】
呼吸を停止させた状態で横隔膜を含む撮像領域を持つ断層像を撮像するナビゲータ用撮像手段と、前記ナビゲータ画像を解析して横隔膜の位置を取得する横隔膜位置取得手段と、呼吸を停止させた状態で所望のスライスの断層像を撮像するイメージング用撮像手段と、前記各手段を息継ぎ時間を挟んで２回以上繰り返し作動させる制御手段と、１回目のスライスの位置を１回目の横隔膜の位置と２回目以後の横隔膜の位置の差だけ補正した位置を２回目以後のスライスの位置とする補正手段とを具備したことを特徴とする断層像撮影装置。
【発明の詳細な説明】
【技術分野】
【０００１】
本発明は、息止めＭＲ（Magnetic Resonance）撮影方法、ＭＲＩ（Magnetic Resonance Imaging）装置、息止め断層像撮影方法および断層像撮影装置に関し、更に詳しくは、息継ぎ時間を挟んで息止め撮影を２回以上繰り返し行う際に、各回における臓器の位置変動にスライス位置を追従させることが出来る息止めＭＲ撮影方法、ＭＲＩ装置、息止め断層像撮影方法および断層像撮影装置に関する。
【背景技術】
【０００２】
従来、息継ぎ時間を挟んで息止め撮影を２回以上繰り返し行う際に、横隔膜の位置を観察して、横隔膜が同じ位置にある時に息止めさせることが提案されている（例えば特許文献１参照。）
他方、非息止め撮影（息止めしない撮影）を行う際に、呼吸による被検体の変位を検出して、その変位に連動してスライス位置を移動することが提案されている（例えば特許文献２参照。）
【特許文献１】特表２００４−５０８８５９号公報（請求項８，［０００８］）
【特許文献２】特開２００４−３０５４５４号公報（請求項６，［００４８］−［００５０］）
【発明の開示】
【発明が解決しようとする課題】
【０００３】
上記特許文献１には、横隔膜が同じ位置にある時に息止めさせるための技術が具体的には開示されていない。仮に横隔膜が同じ位置にある時に被検体に合図を送って息止めさせたとしても、被検体の意志によって息止めが行われるものである限り、息止めのタイミングがずれることは免れず、実際に息止めされた時の横隔膜の位置は変動してしまう。つまり、スライス位置に対する臓器位置が毎回変動してしまう問題点がある。
他方、特許文献２では、スライス位置の移動はもっぱら非息止め撮影にのみ適用されており、息止め撮影には適用されていない。しかし、息継ぎ時間を挟んで息止め撮影を２回以上繰り返し行う際に、各回の息止めのタイミングがずれることは免れず、実際に息止めされた時の横隔膜の位置は変動してしまう。つまり、特許文献２でも、息止め撮影時に、スライス位置に対する臓器位置が毎回変動してしまう問題点がある。
そこで、本発明の目的は、息継ぎ時間を挟んで息止め撮影を２回以上繰り返し行う際に、各回における臓器の位置変動にスライス位置を追従させることが出来る息止めＭＲ撮影方法、ＭＲＩ装置、息止め断層像撮影方法および断層像撮影装置を提供することにある。
【課題を解決するための手段】
【０００４】
第１の観点では、本発明は、呼吸を停止させた状態で横隔膜を含む撮像領域を持つＭＲ画像を撮像するナビゲータ用撮像ステップと、前記ナビゲータ画像を解析して横隔膜の位置を取得する横隔膜位置取得ステップと、呼吸を停止させた状態で所望のスライスのＭＲ画像を撮像するイメージング用撮像ステップと、呼吸を再開させる息継ぎステップとを、この順で２回以上繰り返すと共に、１回目のスライスの位置を１回目の横隔膜の位置と２回目以後の横隔膜の位置の差だけ補正した位置を２回目以後のスライスの位置とすることを特徴とする息止めＭＲ撮影方法を提供する。
上記第１の観点による息止めＭＲ撮影方法では、息止めした状態で横隔膜の位置を検出し、その横隔膜の位置に応じてスライス位置を補正する。これにより息継ぎ時間を挟んで息止め撮影を２回以上繰り返し行う際に、各回における息止めタイミングのずれに起因する臓器の位置変動にスライス位置を追従させることが出来る。
【０００５】
第２の観点では、本発明は、前記第１の観点による息止めＭＲ撮影方法において、前記ナビゲータ用撮像ステップの撮像領域が体軸方向に伸びるライン状であることを特徴とする息止めＭＲ撮影方法を提供する。
呼吸による横隔膜の移動は３次元的であるが、主な移動方向は体軸方向であるため、体軸方向の移動を捉えるだけでも効果がある。
そこで、上記第２の観点による息止めＭＲ撮影方法では、ナビゲータ用撮像ステップでの撮像領域を、体軸方向のライン状とする。これにより最小限のデータ収集と演算で済む。
【０００６】
第３の観点では、本発明は、前記第１または前記第２の観点による息止めＭＲ撮影方法において、前記イメージング用撮像ステップの前に、残留横磁化成分が縦磁化に戻るのを１秒間以上待つ回復待ちステップを設けることを特徴とする息止めＭＲ撮影方法を提供する。
上記第３の観点による息止めＭＲ撮影方法では、ナビゲータ用撮像ステップの影響がイメージング用撮像ステップに及ぶのを防止することが出来る。
【０００７】
第４の観点では、本発明は、前記第１から前記第３のいずれかの観点による息止めＭＲ撮影方法において、前記イメージング用撮像ステップの前に、残留横磁化成分を強制的に縦磁化に戻すファースト・リカバリー・ステップを設けることを特徴とする息止めＭＲ撮影方法を提供する。
上記第４の観点による息止めＭＲ撮影方法では、ナビゲータ用撮像ステップの影響がイメージング用撮像ステップに及ぶのを防止することが出来る。
【０００８】
第５の観点では、本発明は、前記第１から前記第４のいずれかの観点による息止めＭＲ撮影方法において、前記ナビゲータ用撮像ステップと前記イメージング用撮像ステップで、リバース・セントリック・ビュー・オーダリング（Reverse Centric View Ordering）とすることを特徴とする息止めＭＲ撮影方法を提供する。
上記第５の観点による息止めＭＲ撮影方法では、ナビゲータ用撮像ステップの影響がイメージング用撮像ステップに及ぶのを防止することが出来る。
【０００９】
第６の観点では、本発明は、前記第１から前記第５のいずれかの観点による息止めＭＲ撮影方法において、前記イメージング用撮像ステップで、腹部の造影ＭＲアンギオグラフィー撮像を行うことを特徴とする息止めＭＲ撮影方法を提供する。
上記第６の観点による息止めＭＲ撮影方法では、毎回の撮像位置が臓器に対して同一になるため、正しいタイム・インテンシティ・カーブを得ることが出来る。また、正しいサブトラクション画像を得ることが出来る。
【００１０】
第７の観点では、本発明は、前記第１から前記第５のいずれかの観点による息止めＭＲ撮影方法において、前記イメージング用撮像ステップで、肝臓の多相性撮像（動脈相、門脈相、平衡相）を行うことを特徴とする息止めＭＲ撮影方法を提供する。
上記第７の観点による息止めＭＲ撮影方法では、毎回の撮像位置が肝臓に対して同一になるため、相の比較を正しく行うことが出来る。
【００１１】
第８の観点では、本発明は、前記第１から前記第５のいずれかの観点による息止めＭＲ撮影方法において、１回目の前記イメージング用撮像ステップでボディコイルを用いた感度補正用撮像を行い、２回目以後の前記イメージング用撮像ステップでイメージング用撮像を行うことを特徴とする息止めＭＲ撮影方法を提供する。
上記第８の観点による息止めＭＲ撮影方法では、感度補正用撮像時のスライス位置とイメージング用撮像時のスライス位置とを臓器に対して同一にすることが出来る。
【００１２】
第９の観点では、本発明は、前記第１から前記第５のいずれかの観点による息止めＭＲ撮影方法において、１回目の前記イメージング用撮像ステップでレファレンスイメージ用撮像を行い、２回目以後の前記イメージング用撮像ステップでパラレルイメージング用撮像を行うことを特徴とする息止めＭＲ撮影方法を提供する。
上記第９の観点による息止めＭＲ撮影方法では、レファレンスイメージのスライス位置とパラレルイメージング時のスライス位置とを臓器に対して同一にすることが出来る。
【００１３】
第１０の観点では、本発明は、前記第１から前記第５のいずれかの観点による息止めＭＲ撮影方法において、前記イメージング用撮像ステップで、各回の撮像条件を変えたイメージ・フュージョン用撮像を行うことを特徴とする息止めＭＲ撮影方法を提供する。
上記第１０の観点による息止めＭＲ撮影方法では、ミスレジストレーションをなくすことが出来る。
【００１４】
第１１の観点では、本発明は、前記第１から前記第５のいずれかの観点による息止めＭＲ撮影方法において、前記イメージング用撮像ステップで、拡散画像用撮像を行うことを特徴とする息止めＭＲ撮影方法を提供する。
上記第１１の観点による息止めＭＲ撮影方法では、ＮＥＸを上げた場合でも、ゆがみをなくすことが出来る。
【００１５】
第１２の観点では、本発明は、呼吸を停止させた状態で横隔膜を含む撮像領域を持つＭＲ画像を撮像するナビゲータ用撮像手段と、前記ナビゲータ画像を解析して横隔膜の位置を取得する横隔膜位置取得手段と、呼吸を停止させた状態で所望のスライスのＭＲ画像を撮像するイメージング用撮像手段と、前記各手段を息継ぎ時間を挟んで２回以上繰り返し作動させる制御手段と、１回目のスライスの位置を１回目の横隔膜の位置と２回目以後の横隔膜の位置の差だけ補正した位置を２回目以後のスライスの位置とする補正手段とを具備したことを特徴とするＭＲＩ装置を提供する。
上記第１２の観点によるＭＲＩ装置では、前記第１の観点による息止めＭＲ撮影方法を好適に実施することが出来る。
【００１６】
第１３の観点では、本発明は、前記第１２の観点によるＭＲＩ装置において、前記ナビゲータ用撮像ステップの撮像領域が体軸方向に伸びるライン状であることを特徴とするＭＲＩ装置を提供する。
上記第１３の観点によるＭＲＩ装置では、前記第２の観点による息止めＭＲ撮影方法を好適に実施することが出来る。
【００１７】
第１４の観点では、本発明は、前記第１２または前記第１３の観点によるＭＲＩ装置において、前記イメージング用撮像手段を作動させる前に、残留横磁化成分が縦磁化に戻るのを１秒間以上待つ回復時間を置くことを特徴とするＭＲＩ装置を提供する。
上記第１４の観点によるＭＲＩ装置では、前記第３の観点による息止めＭＲ撮影方法を好適に実施することが出来る。
【００１８】
第１５の観点では、本発明は、前記第１２から前記第１４のいずれかの観点によるＭＲＩ装置において、前記イメージング用撮像手段を作動させる前に、残留横磁化成分を強制的に縦磁化に戻すファースト・リカバリー手段を作動させることを特徴とするＭＲＩ装置を提供する。
上記第１５の観点によるＭＲＩ装置では、前記第４の観点による息止めＭＲ撮影方法を好適に実施することが出来る。
【００１９】
第１６の観点では、本発明は、前記第１２から前記第１５のいずれかの観点によるＭＲＩ装置において、前記ナビゲータ用撮像ステップと前記イメージング用撮像ステップで、リバース・セントリック・ビュー・オーダリングとすることを特徴とするＭＲＩ装置を提供する。
上記第１６の観点によるＭＲＩ装置では、前記第５の観点による息止めＭＲ撮影方法を好適に実施することが出来る。
【００２０】
第１７の観点では、本発明は、前記第１２から前記第１６のいずれかの観点によるＭＲＩ装置を用いて、腹部の造影ＭＲアンギオグラフィー撮像を行うことを特徴とする息止めＭＲ撮影方法を提供する。
上記第１７の観点による息止めＭＲ撮影方法では、前記第６の観点による息止めＭＲ撮影方法を好適に実施することが出来る。
【００２１】
第１８の観点では、本発明は、前記第１２から前記第１６のいずれかの観点によるＭＲＩ装置を用いて、肝臓の多相性撮像を行うことを特徴とする息止めＭＲ撮影方法を提供する。
上記第１８の観点による息止めＭＲ撮影方法では、前記第７の観点による息止めＭＲ撮影方法を好適に実施することが出来る。
【００２２】
第１９の観点では、本発明は、前記第１２から前記第１６のいずれかの観点によるＭＲＩ装置を用いて、１回目の前記イメージング用撮像ステップでボディコイルを用いた感度補正用撮像を行い、２回目以後の前記イメージング用撮像ステップでイメージング用撮像を行うことを特徴とする息止めＭＲ撮影方法を提供する。
上記第１９の観点による息止めＭＲ撮影方法では、前記第８の観点による息止めＭＲ撮影方法を好適に実施することが出来る。
【００２３】
第２０の観点では、本発明は、前記第１２から前記第１６のいずれかの観点によるＭＲＩ装置を用いて、１回目の前記イメージング用撮像ステップでレファレンスイメージ用撮像を行い、２回目以後の前記イメージング用撮像ステップでパラレルイメージング用撮像を行うことを特徴とする息止めＭＲ撮影方法を提供する。
上記第２０の観点による息止めＭＲ撮影方法では、前記第９の観点による息止めＭＲ撮影方法を好適に実施することが出来る。
【００２４】
第２１の観点では、本発明は、前記第１２から前記第１６のいずれかの観点によるＭＲＩ装置を用いて、各回の撮像条件を変えたイメージ・フュージョン用撮像を行うことを特徴とする息止めＭＲ撮影方法を提供する。
上記第２１の観点による息止めＭＲ撮影方法では、前記第１０の観点による息止めＭＲ撮影方法を好適に実施することが出来る。
【００２５】
第２２の観点では、本発明は、前記第１２から前記第１６のいずれかの観点によるＭＲＩ装置を用いて、拡散画像用撮像を行うことを特徴とする息止めＭＲ撮影方法を提供する。
上記第２２の観点による息止めＭＲ撮影方法では、前記第１１の観点による息止めＭＲ撮影方法を好適に実施することが出来る。
【００２６】
第２３の観点では、本発明は、呼吸を停止させた状態で横隔膜を含む撮像領域を持つ断層像を撮像するナビゲータ用撮像ステップと、前記ナビゲータ画像を解析して横隔膜の位置を取得する横隔膜位置取得ステップと、呼吸を停止させた状態で所望のスライスの断層像を撮像するイメージング用撮像ステップと、呼吸を再開させる息継ぎステップとを、この順で２回以上繰り返すと共に、１回目のスライスの位置を１回目の横隔膜の位置と２回目以後の横隔膜の位置の差だけ補正した位置を２回目以後のスライスの位置とすることを特徴とする息止め断層像撮影方法を提供する。
上記第２３の観点による息止め断層像撮影方法では、息止めした状態で横隔膜の位置を検出し、その横隔膜の位置に応じてスライス位置を補正する。これにより息継ぎ時間を挟んで息止め撮影を２回以上繰り返し行う際に、各回における臓器の位置変動にスライス位置を追従させることが出来る。
【００２７】
第２４の観点では、本発明は、呼吸を停止させた状態で体軸方向に横隔膜を含む撮像領域を持つ断層像を撮像するナビゲータ用撮像手段と、前記ナビゲータ画像を解析して横隔膜の位置を取得する横隔膜位置取得手段と、呼吸を停止させた状態で所望のスライスの断層像を撮像するイメージング用撮像手段と、前記各手段を息継ぎ時間を挟んで２回以上繰り返し作動させる制御手段と、１回目のスライスの位置を１回目の横隔膜の位置と２回目以後の横隔膜の位置の差だけ補正した位置を２回目以後のスライスの位置とする補正手段とを具備したことを特徴とする断層像撮影装置を提供する。
上記第２４の観点による断層像撮影装置では、前記第２３の観点による息止め断層像撮影方法を好適に実施することが出来る。ここで、断層像撮影装置としては、ＭＲＩ装置の外、Ｘ線ＣＴ装置が挙げられる。
【発明の効果】
【００２８】
本発明の息止めＭＲ撮影方法、ＭＲＩ装置、息止め断層像撮影方法および断層像撮影装置によれば、息継ぎ時間を挟んで息止め撮影を２回以上繰り返し行う際に、各回における臓器の位置変動にスライス位置を追従させることが出来る。
【発明を実施するための最良の形態】
【００２９】
以下、図に示す実施の形態により本発明をさらに詳細に説明する。なお、これにより本発明が限定されるものではない。
【実施例１】
【００３０】
図１は、実施例１にかかるＭＲＩ装置１００を示すブロック図である。
このＭＲＩ装置１００において、マグネットアセンブリ１０１は、内部に被検体を挿入するための空間部分（ボア）を有し、この空間部分を取りまくようにして、被検体に一定の静磁場を印加する静磁場コイル１０１Ｃと、Ｘ軸，Ｙ軸，Ｚ軸の勾配磁場を発生するための勾配コイル１０１Ｇと、被検体内の原子核のスピンを励起するためのＲＦパルスを与える送信コイル１０１Ｔと、被検体からのＮＭＲ信号を受信するための複数の受信コイル１０１(０)，…，１０１(Ｉ)とが配置されている。
【００３１】
ここで、送信コイル１０１Ｔおよび受信コイル１０１（０）はボディコイルとし、受信コイル１０１(１)，…，１０１(Ｉ)はサーフェイスコイルとする。
【００３２】
静磁場コイル１０１Ｃ，勾配コイル１０１Ｇ，送信コイル１０１Ｔは、それぞれ静磁場電源１０２，勾配コイル駆動回路１０３，ＲＦ電力増幅器１０４に接続されている。また、受信コイル１０１(０)，…，１０１(Ｉ)は、それぞれ前置増幅器１０５(０)，…，１０５(Ｉ)に接続されている。
なお、静磁場コイル１０１Ｃの代わりに永久磁石を用いてもよい。
【００３３】
シーケンス記憶回路１０８は、計算機１０７からの指令に従い、記憶しているパルスシーケンスに基づいて勾配コイル駆動回路１０３を操作し、勾配コイル１０１Ｇから勾配磁場を発生させると共に、ゲート変調回路１０９を操作し、ＲＦ発振回路１１０の搬送波出力信号を所定タイミング・所定包絡線形状・所定位相のパルス状信号に変調し、それをＲＦパルスとしてＲＦ電力増幅器１０４に加え、ＲＦ電力増幅器１０４でパワー増幅した後、送信コイル１０１Ｔに印加する。
【００３４】
セレクタ１１１は、受信コイル１０１(０)，…，１０１(Ｉ)で受信され前置増幅器１０５(０)，…，１０５(Ｉ)で増幅されたＮＭＲ信号をｍ個のレシーバ１１２(１)，…，１１２(ｍ)に伝達する。これは、受信コイル１０１(０)，…，１０１(Ｉ)とレシーバ１１２(１)，…，１１２(ｍ)の対応を可変にするためである。
【００３５】
レシーバ１１２(１)，…，１１２(m)は、ＮＭＲ信号をデジタル信号に変換し、計算機１０７に入力する。
【００３６】
計算機１０７は、レシーバ１１２からデジタル信号を読み込み、処理を施して、ＭＲ画像を生成する。また、計算機１０７は、操作卓１１３から入力された情報を受け取るなどの全体的な制御を受け持つ。
表示装置１０６は、画像やメッセージを表示する。
【００３７】
図２は、実施例１に係る息止めＭＲ撮影処理を示すフロー図である。
ステップＪ１では、繰返しカウンタｉの値を「１」に初期化する。
【００３８】
ステップＪ２では、患者に息止めの合図をし、患者が息止めしたらステップＪ３へ進む。
ステップＪ３では、ナビゲータ用パルスシーケンスによりナビゲータ用データＮｉを収集する。図３に示すＫ１が１回目（ｉ＝１）の時のステップＪ３に相当し、Ｋ４が２回目（ｉ＝２）の時のステップＪ３に相当する。
ナビゲータ用データＮｉを収集する目的は横隔膜の位置Ｐｉを検出することにある。ここでは、簡略化のため、体軸方向のライン状の撮像領域とする。従って、ナビゲータ用パルスシーケンスとしては、公知のライン状の撮像領域を励起するパルスシーケンスを利用できる。また、横隔膜の体軸方向の移動量は２ｃｍ程度であるから、撮像領域の長さは体軸方向に２ｃｍ以上とすればよい。
【００３９】
ステップＪ４では、ナビゲータ用データＮｉから横隔膜の位置Ｐｉを取得する。図３に示すＣ１が１回目（ｉ＝１）の時のステップＪ４に相当し、Ｃ３が２回目（ｉ＝２）の時のステップＪ４に相当する。また、図４の（ａ）に示すＰ１が１回目（ｉ＝１）の時の横隔膜Ｄの位置Ｐ１を表し、図４の（ｃ）に示すＰ２が２回目以後（ｉ＞２）の時の横隔膜Ｄの位置Ｐｉを表す。
【００４０】
ステップＪ５では、１回目（ｉ＝１）の時の横隔膜Ｄの位置Ｐ１とｉ回目（ｉ≧１）の時の横隔膜Ｄの位置Ｐｉの差Δｉを求め、予め設定されたスライス位置を差Δｉで補正したスライス位置をｉ回目のスライス位置Ｓｉとする。１回目（ｉ＝１）の時は、差Δ１＝０になるから、予め設定されたスライス位置が１回目のスライス位置Ｓ１となる。２回目以後（ｉ＞２）の時に差Δｉ≠０になれば、スライス位置が補正される。図４の（ｂ）に示すＳ１が１回目（ｉ＝１）の時のスライス位置Ｓ１を表し、図４の（ｄ）に示すＳｉが２回目以後（ｉ＞２）の時のスライス位置Ｓｉを表す。
【００４１】
ステップＪ６では、ナビゲータ用パルスシーケンスにより励起された磁化の回復を待ってからステップＪ７へ進む。この待っている期間が、図３に示す縦磁化回復期間である。縦磁化回復期間は、１秒間以上、例えば２秒間とする。但し、図３に示すＫ２，Ｋ５のようにファースト・リカバリー・パルスを印加するなどの公知のファースト・リカバリー方法を利用して残留横磁化成分を強制的に縦磁化に戻せば、縦磁化回復期間を短縮または省略することが出来る。また、後述するイメージング用撮像時に例えばリバース・セントリック・ビュー・オーダリングとすれば、バンディング・アーチファクトを抑制できるので、縦磁化回復期間を短縮または省略することが出来る。
【００４２】
ステップＪ７では、イメージング用パルスシーケンスによりスライス位置Ｓｉのイメージング用データＤｉを収集する。図３に示すＫ３が１回目（ｉ＝１）の時のステップＪ７に相当し、Ｋ６が２回目（ｉ＝２）の時のステップＪ７に相当する。
ステップＪ８では、患者に息継ぎの合図をし、患者に呼吸させる。
【００４３】
ステップＪ９では、予定した繰り返し回数Ｉにカウンタｉの値が到達したならスキャン処理を終了し、未到達ならステップＪ１０へ進む。
ステップＪ１０では、カウンタｉの値を「１」だけインクリメントし、ステップＪ２に戻る。
【００４４】
図３に示すＣ２，Ｃ５のように、患者が息継ぎをしている間、画像再構成を行ってもよい。
【００４５】
実施例１のＭＲＩ装置１００によれば、各回の息止めタイミングのずれによる臓器の位置変動に、スライス位置を追従させることが出来る。これにより、次のような効果がある。
（１）イメージング用撮像Ｊ７において、腹部の造影ＭＲアンギオグラフィー撮像を行って、タイム・インテンシティ・カーブを得る場合、毎回の撮像位置が臓器に対して同一になるため、正しいタイム・インテンシティ・カーブを得ることが出来る。また、サブトラクション画像を得る場合、正しいサブトラクション画像を得ることが出来る。
【００４６】
（２）イメージング用撮像Ｊ７において、図４に示す肝臓Ｌの多相性撮像（動脈相、門脈相、平衡相）を行う場合、毎回のスライス位置Ｓｉが肝臓Ｌに対して同一になるため、相の比較を正しく行うことが出来る。
【００４７】
（３）１回目のイメージング用撮像Ｊ７においてボディコイル１０１(０)を用いた感度補正用撮像を行い、２回目以後のイメージング用撮像Ｊ７においてサーフェイスコイル１０１(１)，…，１０１(Ｉ)を用いたイメージング用撮像を行う場合、感度補正用撮像時のスライス位置とイメージング用撮像時のスライス位置とが臓器に対して同一になるため、感度補正を正しく行うことが出来る。ＰＵＲＥやＣＬＥＡＲと呼ばれる撮像方法に有用である。
【００４８】
（４）１回目のイメージング用撮像Ｊ７においてレファレンスイメージ用撮像を行い、２回目以後のイメージング用撮像Ｊ７においてパラレルイメージング用撮像を行う場合、レファレンスイメージのスライス位置とパラレルイメージング時のスライス位置とが臓器に対して同一になるため、パラレルイメージングを正しく行うことが出来る。ＡＳＳＥＴやＳＥＮＳＥと呼ばれる撮像方法に有用である。
【００４９】
（５）イメージング用撮像Ｊ７の撮像条件を各回変えたイメージ・フュージョン用撮像を行う場合、毎回のスライス位置が臓器に対して同一になるため、ミスレジストレーションをなくすことが出来る。
【００５０】
（６）イメージング用撮像Ｊ７においてＮＥＸを上げた拡散画像用撮像を行う場合、拡散画像のゆがみをなくすことが出来る。
【実施例２】
【００５１】
本発明は、Ｘ線ＣＴ装置など、ＭＲＩ装置以外の断層像撮影装置にも適用できる。
【産業上の利用可能性】
【００５２】
本発明の息止めＭＲ撮影方法、ＭＲＩ装置、息止め断層像撮影方法および断層像撮影装置は、息継ぎ時間を挟んで息止め撮影を２回以上繰り返し行って被検体の断層像を得るのに利用できる。
【図面の簡単な説明】
【００５３】
【図１】実施例１に係るＭＲＩ装置の構成を示すブロック図である。
【図２】実施例１に係る息止めを繰り返すスキャン処理を示すフロー図である。
【図３】実施例１に係る息止め撮影を示すタイムチャートである。
【図４】息止めタイミングのずれによる臓器の位置変動を示す模式図である。
【符号の説明】
【００５４】
１００                ＭＲＩ装置
Ｄ                    横隔膜
Ｋ１，Ｋ４            ナビゲータ用撮像
Ｋ３，Ｋ６            イメージング用撮像
Ｌ                    肝臓
Ｐ１，Ｐｉ            横隔膜の位置
Ｓ１，Ｓｉ            スライス位置
Δｉ                  横隔膜の位置のずれ
【図１】
2007075387.tif 000003
【図２】
2007075387.tif 000004
【図３】
2007075387.tif 000005
【図４】
2007075387.tif 000006